(57)【特許請求の範囲】
【請求項１】
常温の空気中で揮発する揮発性剤を保持する揮発性剤保持体と、
上記揮発性剤保持体を収容するケースとを備えた揮発性剤拡散装置において、
上記揮発性剤は液状であり、揮発性剤用容器に収容され、
上記揮発性剤用容器は、上記ケース内の下側に収容され、
上記揮発性剤保持体は、上記ケース内で露出するように配設され、
上記ケースには、内外方向に貫通する貫通孔が形成され、
上記ケースの底壁部には、該ケース全体が揺動するように該ケースの外方へ向けて湾曲する凸状曲面が形成され、
上記揮発性剤拡散装置は、上記揮発性剤用容器に収容された揮発性剤とは別の揮発性剤を保持する揮発性剤保持体を備えており、
上記別の揮発性剤を保持する揮発性剤保持体は、揮発性剤が収容された上記揮発性剤用容器よりも軽量で、上記ケース内の上側に収容されていることを特徴とする揮発性剤拡散装置。
【請求項２】
常温の空気中で揮発する揮発性剤を保持する揮発性剤保持体と、
上記揮発性剤保持体を収容するケースとを備えた揮発性剤拡散装置において、
上記揮発性剤保持体は、上記ケース内で露出するように配設され、
上記ケースには、内外方向に貫通する貫通孔が形成され、
上記ケースの底壁部には、該ケース全体が揺動するように該ケースの外方へ向けて湾曲する凸状曲面が形成されるとともに、載置面との接触面積を低減するための接触面積低減部が設けられていることを特徴とする揮発性剤拡散装置。
【発明の詳細な説明】
【技術分野】
【０００１】
本発明は、例えば、防虫剤や芳香剤等の揮発性剤を空気中に拡散させるように構成された揮発性剤拡散装置に関するものである。
【背景技術】
【０００２】
従来から、常温で揮発性を有する防虫剤及び芳香剤をケースに収容し、室内等に置いて使用する装置が知られている（例えば、特許文献１参照）。特許文献１の装置は、下側へ向かって拡大する安定した形状の花瓶型のケースを備え、このケースの内部に防虫剤及び芳香剤が収容されている。また、この特許文献１では、電池やゼンマイ等で駆動されるファンを設けることによって、防虫剤及び芳香剤の拡散効果を高めるようにする構造が開示されている。
【先行技術文献】
【特許文献】
【０００３】
【特許文献１】特開２００５−１２６３９３号公報
【発明の概要】
【発明が解決しようとする課題】
【０００４】
ところが、特許文献１のように電池やゼンマイ等で駆動されるファンを設けると、電気回路の組み込みや多くの機械部品の組み込みが必要となって装置の構造が複雑化し、コスト高となる。また、電池を用いた場合には、定期的な電池交換が必要になり、ゼンマイを用いた場合には、巻き上げ作業が必要になり、いずれの場合であっても使用者は煩雑に感じ、使用しやすい構造とは言い難い。
【０００５】
また、防虫剤や芳香剤の拡散効果を高めるために、これら薬剤を加熱する加熱装置や、薬剤を収容した部分を振動させる振動素子を設けることが考えられるが、これらの構造を採用する場合にも、電池等が必要になるので、上記した問題が生じ得る。
【０００６】
また、特許文献１のような置き型の装置において、上記したファン等を設けずに拡散効果を高めようとすると、蒸気圧が特別に高い防虫剤や芳香剤を使用しなければならない。
【０００７】
本発明は、かかる点に鑑みてなされたものであり、その目的とするところは、ファン等を設けることなく簡単な構造で低コスト化を図り、かつ、電池交換等のメンテナンスも不要にし、しかも、揮発性剤の蒸気圧を特別に高めることなく、揮発性剤の空気中への拡散効果を十分に得ることができるようにすることにある。
【課題を解決するための手段】
【０００８】
上記目的を達成するために、本発明では、ケースの底壁部の形状に工夫を凝らすことによってケース全体を揺動可能にし、このケース全体の揺動によって揮発性剤を拡散させるようにした。
【０００９】
第１の発明は、常温の空気中で揮発する揮発性剤を保持する揮発性剤保持体と、上記揮発性剤保持体を収容するケースとを備えた揮発性剤拡散装置において、上記揮発性剤は液状であり、揮発性剤用容器に収容され、上記揮発性剤用容器は、上記ケース内の下側に収容され、上記揮発性剤保持体は、上記ケース内で露出するように配設され、上記ケースには、内外方向に貫通する貫通孔が形成され、上記ケースの底壁部には、該ケース全体が揺動するように該ケースの外方へ向けて湾曲する凸状曲面が形成され、上記揮発性剤拡散装置は、上記揮発性剤用容器に収容された揮発性剤とは別の揮発性剤を保持する揮発性剤保持体を備えており、上記別の揮発性剤を保持する揮発性剤保持体は、揮発性剤が収容された上記揮発性剤用容器よりも軽量で、上記ケース内の上側に収容されていることを特徴とするものである。
【００１０】
この構成によれば、ケースを例えばテーブルや床等の載置面に置くと、ケースの底壁部が載置面に接した状態となる。この底壁部には凸状曲面が形成されているので、ケースを軽く押すだけで、ケース全体が載置面上で揺動することになる。この揺動により、ケースの貫通孔の周りには気流の乱れが発生し、空気が貫通孔を介してケース内に出入りするように移動する。この空気の移動によってケース内の揮発性剤が空気中に広く拡散するようになる。従って、ファン等は不要になるとともに、蒸気圧が特別に高い揮発性剤としなくても拡散効果が十分に得られる。
【００１１】
また、例えば、揮発性剤用容器に収容された揮発性剤を芳香剤とし、別の揮発性剤を防虫剤とした場合には、１つの装置で芳香効果と防虫効果とが得られる。そして、軽量な方をケース内の上側に収容したことで、装置の安定感が損なわれることはない。
【００１２】
第２の発明は、常温の空気中で揮発する揮発性剤を保持する揮発性剤保持体と、上記揮発性剤保持体を収容するケースとを備えた揮発性剤拡散装置において、上記揮発性剤保持体は、上記ケース内で露出するように配設され、上記ケースには、内外方向に貫通する貫通孔が形成され、上記ケースの底壁部には、該ケース全体が揺動するように該ケースの外方へ向けて湾曲する凸状曲面が形成されるとともに、載置面との接触面積を低減するための接触面積低減部が設けられていることを特徴とするものである。
【００１３】
この構成によれば、ケースの底壁部とケースが置かれる載置面との接触面積が低減する。これにより、ケース全体が揺動する際に底壁部と載置面との間に発生する摩擦抵抗が少なくなる。
【発明の効果】
【００１４】
第１の発明によれば、揮発性剤保持体を収容したケースの底壁部に凸状曲面を形成したことで、ファン等を用いることなく、ケースを押すだけでケース全体を揺動させ、この揺動によって揮発性剤を空気中に拡散させることができる。これにより、構造を簡単にできて低コスト化を図ることができるとともに、電池交換等のメンテナンスも不要で、しかも、蒸気圧が特別に高い揮発性剤を用いることなく、十分な拡散効果を得ることができる。
【００１５】
また、液状の揮発性剤を揮発性剤用容器に収容してケースの下側に収容したので、装置の重心を下げて安定させることができ、倒れてしまうのを抑制できる。
【００１６】
また、揮発性剤用容器の揮発性剤とは別の揮発性剤を保持する揮発性剤保持体を、揮発性剤用容器よりも軽量にしてケース内の上側に収容したので、装置の安定感を損なうことなく、１つの装置で複数の効果を得ることができる。
【００１７】
第２の発明によれば、ケースの底壁部に接触面積低減部を設けたので、載置面との間に発生する摩擦抵抗を低減できる。これにより、ケースを小さい力で揺動させることができるとともに、揺動している時間が長くなって揮発性剤の拡散効果をより一層高めることができる。
【図面の簡単な説明】
【００１８】
【図１】実施形態にかかる揮発性剤拡散装置の正面図である。
【図２】揮発性剤拡散装置の左側面図である。
【図３】揮発性剤拡散装置の右側面図である。
【図４】揮発性剤拡散装置の背面図である。
【図５】ケースの展開図である。
【図６】揮発性剤拡散装置の底面図である。
【図７】図１のVII−VII線断面図である。
【図８】揮発性剤拡散装置の内部構造を説明する図である。
【図９】含浸体を保持した状態の含浸体保持部材の斜視図である。
【図１０】揮発性剤拡散装置の使用状態を説明する概略図である。
【発明を実施するための形態】
【００１９】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２０】
図１〜図４は、本発明の実施形態にかかる揮発性剤拡散装置１を示すものである。揮発性剤拡散装置１は、芳香剤及び防虫剤を収容するケース１０を備えており、芳香剤及び防虫剤の両方を同時に空気中に拡散できるように構成された、いわゆるハイブリッド型のものである。このケース１０は詳細は後述するが、テーブルや床等の載置面Ｇに置かれた状態で、ケース１０の全体が該ケース１０の左右方向に揺動するようになっている。
【００２１】
図８に示すように、揮発性剤拡散装置１は、ケース１０の他に、芳香剤（揮発性剤）を収容した芳香剤容器（揮発性剤容器）１１と、芳香剤を拡散させるための芳香剤拡散部１２と、防虫剤（揮発性剤）が含浸された含浸体（揮発性剤保持体）１３と、含浸体１３を保持する含浸体保持部材１４とを備えている。
【００２２】
ケース１０は、樹脂製であり、図１〜図４に示すように、上下方向に長く、かつ、正面から見て、左右方向の寸法が奥行き方向の寸法よりも長い扁平形状とされている。ケース１０の水平方向の断面は、該ケース１０の左右方向に長い略長円形状とされており、ケース１０の左壁部１０ａ及び右壁部１０ｂはケース１０外へ向けて湾曲している。
【００２３】
また、ケース１０の前壁部１０ｃの左右両端部近傍は後方へ向けて湾曲して、左壁部１０ａ及び右壁部１０ｂに連なっている。前壁部１０ｃの左右両端部近傍を除く部分は、左右方向に延びている。また、ケース１０の後壁部１０ｄの左右両端部近傍は前方へ向けて湾曲して、左壁部１０ａ及び右壁部１０ｂに連なっている。後壁部１０ｄの左右両端部近傍を除く部分は、前壁部１０ｃと略平行に左右方向に延びている。
【００２４】
ケース１０の上壁部１０ｅは左右方向に長い略長円形をなしており、図１に示すように、ケース１０の静止状態で略水平に延びている。上壁部１０ｅの周縁部は下降傾斜して延び、左壁部１０ａ、右壁部１０ｂ、前壁部１０ｃ及び後壁部１０ｄに連なっている。
【００２５】
ケース１０の底壁部１０ｆは、その左右方向中央部が最も下に位置するように、下方へ向けて滑らかに湾曲している。従って、底壁部１０ｆの左右方向中央部よりも左側及び右側は、載置面Ｇから上方へ離れることになり、よって、ケース１０の全体が左右方向に揺動可能となる。つまり、底壁部１０ｆの外面は、ケース１０全体が揺動するように該ケース１０の外方へ向けて湾曲する凸状曲面２０とされている。
【００２６】
凸状曲面２０は、円弧面で構成されている。図１に示すように、凸状曲面２０の円弧中心は、ケース１０の上壁部１０ｅから上方に離れたところにある仮想中心Ｘである。よって、凸状曲面２０は緩やかな円弧面となる。凸状曲面２０の円弧半径Ｒは、例えば、２００ｍｍ程度に設定されているが、これに限られるものではない。
【００２７】
凸状曲面２０の周縁部には、下方へ突出する突条部２１が形成されている。図６に示すように、突条部２１は、凸状凹面２０の周縁部に沿って環状をなすように連続して延びている。突条部２１の突出高さは、例えば１ｍｍ〜２ｍｍ程度であり、低く設定されている。図７にも示すように、突条部２１の突出方向先端面（下端面）２１ａが載置面Ｇに接するようになっている。突条部２１は、上下方向の断面が略矩形状となるように形成されている。凸状曲面２０に突条部２１が形成されていることで、凸状曲面２０の大部分が載置面Ｇから上方に離れることになり、載置面Ｇとの接触面積が減少する。つまり、本発明の接触面積低減部は、突条部２１で構成されている。
【００２８】
図５に示すように、ケース１０は、厚み方向（ケース１０の前後方向）に２つに分割された半割状の前側分割体３０と後側分割体３１とを組み合わせて構成されている。前側分割体３０の右端部と後側分割体３１の左端部とは３つのヒンジ３２によって連結されている。ヒンジ３２は、いわゆる薄肉ヒンジであり、前側分割体３０と後側分割体３１に一体成形されている。すなわち、前側分割体３０と後側分割体３１とは、ヒンジ３２を介して一体に成形された一体成形品である。
【００２９】
ヒンジ３２は上下方向に間隔をあけて設けられている。ヒンジ３２の回動軸は、上下方向に延びている。よって、前側分割体３０と後側分割体３１とは、互いに上下方向に延びる軸周りに回動するようになっている。前側分割体３０と後側分割体３１は、成形直後は、図５に示すように、展開された状態となっており、この状態から前側分割体３０をヒンジ３２の回動軸周りに後側分割体３１に接近する方向に回動させて行くと、前側分割体３０と後側分割体３１が組み合わさってケース１０となる。
【００３０】
図３にも示すように、後側分割体３１の右端部には、前側分割体３０に係合する係合爪３３〜３５が形成されている。係合爪３３〜３５は上下方向に間隔をあけて設けられている。係合爪３３は後側分割体３１の上端部近傍に位置し、係合爪３４は上下方向中央部近傍に位置し、係合爪３５は、下端部近傍に位置している。これら係合爪３３〜３５は、前方へ突出するように延びている。中央部の係合爪３４は、上下両係合爪３３，３５よりも上下方向に幅広に形成されている。
【００３１】
前側分割体３０の右端部には、係合爪３３〜３５が係合する係合凹部３６〜３８が係合爪３３〜３５の形成位置に対応して設けられている。係合凹部３６〜３８の深さは、係合爪３３〜３５が略完全に入り込むような深さとされている。
【００３２】
前側分割体３０と後側分割体３１とが組み合わさった状態で、係合爪３３〜３５がそれぞれ係合凹部３６〜３８内に入り込んで該係合凹部３６〜３８に係合する。これにより、前側分割体３０が後側分割体３１から離れる方向に回動することはない。
【００３３】
図１に示すように、前側分割体３０の前壁部１０ｃに対応する部分には、略上半部に複数の上側貫通孔４０が形成され、略下半部に１つの下側貫通孔４１が形成されている。上側貫通孔４０は、様々な大きさがある。左に位置する上側貫通孔４０の左縁部近傍にはケース１０内へ向けて窪む凹部４３が形成されている。右に位置する上側貫通孔４０の右縁部近傍にもケース１０内へ向けて窪む凹部４４が形成されている。トータルの上側貫通孔４０の形成された範囲は、下側貫通孔４１の形成された範囲よりも広い。一方、下側貫通孔４１は、左右方向に長い矩形に近い形状である。
【００３４】
また、図５に示すように、前側分割体３０の上壁部１０ｅに対応する部分には、上記含浸体保持部材１４が取り付けられる一対の取付部４５が形成されている。取付部４５は左右方向に間隔をあけて設けられており、前側分割体３０の内面から後方へ向けて突出する板状をなしている。
【００３５】
また、前側分割体３０の底壁部１０ｆに対応する部分には、上記芳香剤容器１１の底部を下方から支持する一対の支持部４６が形成されている。この支持部４６も左右方向に間隔をあけて設けられている。
【００３６】
後側分割体３１には、前側分割体３０と同じように上側貫通孔５０、下側貫通孔５１、左側の凹部５３、右側の凹部５４及び支持部５６が形成されている。
【００３７】
図８に示すように、芳香剤容器１１は、ケース１０の下側に収容されるようになっている。この芳香剤容器１１に収容される芳香剤は、液状であり、かつ、常温の空気中で揮発性を有する芳香剤であれば特に限定されないが、その含有成分としては、例えば、オレンジオイル、レモンオイル、ライムオイル、ユーカリオイル、レモングラスオイル、ペパーミントオイル、メントール、ラベンダーオイル、シトロネラ、ゼラニウム、ローズオイル等が挙げられる。また、これらを混合させた成分を芳香剤に含有させてもよい。また、芳香剤には、後述する使用時に残量を容易に把握できるように着色されている。尚、芳香剤は、無色透明であってもよい。
【００３８】
芳香剤拡散部１２は、芳香剤容器１１内の芳香剤を吸い上げて拡散させるためのものである。芳香剤拡散部１２は、繊維で構成された吸液芯６０と、吸液芯６０を保持する吸液芯保持部材６１と、拡散紙（揮発性剤保持体）６２と、拡散紙６２を保持する拡散紙ホルダー６３とを備えている。
【００３９】
吸液芯６０は、芳香剤容器１１の内部に挿入され、芳香剤容器１１の底部まで延びる柱状に形成されており、毛細管現象によって芳香剤を吸い上げるようになっている。吸液芯６０の上端部は芳香剤容器１１から上方へ突出している。吸液芯保持部材６１は、芳香剤容器１１の中栓を構成するものであり、吸液芯６０の上下方向中間部を保持して吸液芯６０が倒れるのを防止している。
【００４０】
拡散紙６２は、略水平に延びる板状に形成され、吸液芯６０の上端部に接触するように配置されており、吸液芯６０によって吸い上げられた芳香剤を吸収して一時的に保持するように構成されている。拡散紙ホルダー６３は、芳香剤容器１１に取り付けられており、拡散紙６２を上下両側から保持している。拡散紙ホルダー６３の上部には、通気孔６３ａが形成されている。従って、拡散紙６２はケース１０内で露出しており、空気に触れるようになっている。
【００４１】
尚、拡散紙ホルダー６３を芳香剤容器１１の頭部から離して配置し、拡散紙ホルダー６３と芳香剤容器１１の頭部との間に、外部に通じる空間領域を設け、当該空間領域から芳香剤を外部へ拡散させる形態であってもよい。当該空間領域における外部への通気量を適宜変えることにより、芳香剤の持続時間を自在に変更できることとなる。
【００４２】
芳香剤容器１１は、芳香剤拡散部１２と共に、ケース１０に対し着脱可能となっているので、芳香剤が無くなったら芳香剤容器１１及び芳香剤拡散部１２を新しいものと交換するか、芳香剤容器１１に芳香剤を補充してケース１０に装着すればよい。
【００４３】
芳香剤容器１１は透光性を有する樹脂材で構成されている。この材料は特に限定されないが、例えばＰＥＴ等が挙げられる。芳香剤容器１１の側壁部は、下側貫通孔４１，５１と略同じ高さに位置している。よって、ケース１０の外部から芳香剤の残量を把握すること、及び、芳香剤の液面Ｌの動きを見ることができるようになっている。
【００４４】
図９に示す含浸体保持部材１４に保持される含浸体１３は、吸液性を有するネットで構成されている。ネットの目は粗く、空気が表裏方向に容易に通過するようになっている。含浸体１３はネット以外に、例えば、不織布やろ紙等で構成してもよい。
【００４５】
含浸体１３に含浸されている防虫剤は、常温の空気中で揮発性を有する防虫剤であれば特に限定されないが、例えば、メトフルトリン、トランスフルトリン、エムペントリン、テフラメトリン等が挙げられる。
【００４６】
図８に示すように、含浸体保持部材１４は、ケース１０内の上側（芳香剤容器１１の上方）に収容されている。含浸体保持部材１４は、含浸体１３を囲む矩形箱形をなしている。図９に示すように、含浸体保持部材１４の上壁部には、上方へ突出する一対の取付片６５が左右方向に間隔をあけて形成されている。各取付片６５には孔部６５ａが形成されている。図８に示すように、これら孔部６５ａに、前側分割体３０の取付部４５が挿入されるようになっている。
【００４７】
含浸体保持部材１４の後側（図９の紙面手前側）は、略全体が開放されている。また、含浸体保持部材１４の前側、上側及び下側には、それぞれ、開口部６６が形成されている。含浸体保持部材１４がケース１０に取り付けられた状態では、含浸体１３がケース１０内で露出しており、空気に触れるようになっている。また、含浸体保持部材１４の内部には、含浸体１３を波形に保持するためのサポート６７が設けられている。
【００４８】
含浸体１３及び含浸体保持部材１４を合わせた重さは、芳香剤が収容された芳香剤容器１１の重さよりも軽い。従って、揮発性剤拡散装置１の重心は低くなり、揮発性剤拡散装置１は安定する。
【００４９】
次に、上記のように構成された揮発性剤拡散装置１の組み立て方法について説明する。ケース１０の前側分割体３０及び後側分割体３１は、成形直後は図５に示すように開いた状態となっており、この状態で図８に示すように芳香剤容器１１を前側分割体３０にセットし、含浸体１３を保持した含浸体保持体１４を前側分割体３０にセットする。含浸体保持体１４をセットする際に、取付片６５の取付孔６５ａに取付部４５を挿入すればよい。
【００５０】
その後、後側分割体３１をヒンジ３２の回動軸周りに回動させて前側分割体３０と後側分割体３１とを組み合わせる。このとき、後側分割体３１の係合爪３３〜３４を、前側分割体３０の係合凹部３６〜３８に係合させる。これにより、芳香剤容器１１がケース１０の下側に収容されて保持され、含浸体保持体１４がケース１０の上側に収容されて保持された揮発性剤拡散装置１が得られる。
【００５１】
次に、揮発性剤拡散装置１の使用要領について説明する。図１に示すように、揮発性剤拡散装置１を載置面Ｇに置くと、外力が加わらない状態では、ケース１０の底壁部１０ｆの凸状曲面２０の左右方向中央部が載置面Ｇに接する。このとき既に芳香剤及び防虫剤が揮発してケース１０内に充満している。このケース１０内の芳香剤及び防虫剤は、僅かではあるが上側貫通孔４０，５０から外部へ漏れ出ており、芳香効果及び防虫効果は、程度は低いが得られる。
【００５２】
凸状曲面２０は、左右方向中央部が最も下に位置する円弧面であるため、例えば、ケース１０の左壁部１０ａを手で右側へ押すと、図１０に仮想線で示すように、ケース１０は、全体が右側へ揺動する。右側へ揺動したケース１０は、同図に仮想線で示すように、今度は左側へ揺動する。その後、左右方向の揺動を繰り返す。このケース１０の揺動により、ケース１０の上側貫通孔４０，５０の周りには気流の乱れが発生し、空気が上側貫通孔４０，５０を介してケース１０内に出入りするように移動する。この空気の移動によってケース１０内の芳香剤及び防虫剤が空気中に広く拡散するようになる。
【００５３】
ケース１０が揺動する際、底壁部１０ｆには突条部２１が設けられているので、載置面Ｇとの接触面積の低減が図られることになる。これにより、ケース１０が揺動する際に底壁部１０ｆと載置面Ｇとの間に発生する摩擦抵抗が少なくなる。その結果、長時間連続して揺動し続けるようになる。また、摩擦抵抗が少ない分、最初に小さな力を加えるだけでケース１０を揺動させ始めることができる。
【００５４】
また、図１に示すように、ケース１０の凸状曲面２０の円弧半径の仮想中心Ｘがケース１０の上壁部１０ｅよりも上方に位置していて凸状曲面２０が緩やかになっているので、ケース１０全体がゆっくりと安定して揺動するようになる。このことと、芳香剤を下側に収容して低重心化を図っていることとで、ケース１０は倒れ難くなる。
【００５５】
揮発性剤拡散装置１の使用中には芳香剤が減る。上記したように、芳香剤はケース１０の下側にあるので、芳香剤が減ると、減る前と比べて揮発性剤拡散装置１の重心位置は上がることになる。重心位置が上がっても、凸状曲面２０の円弧半径の仮想中心Ｘは、ケース１０の上方に位置していて重心よりも常に上にあるので、普通に揺動させる際には左右方向に倒れることはない。
【００５６】
また、ケース１０の前後方向の寸法を短くしているので、左右方向から見たときの投影面積が小さくなっている。このことと、左壁部１０ａ及び右壁部１０ｂがケース１０外へ湾曲した形状となっていることとにより、左右に揺動する際のケース１０の空気抵抗を低くすることができ、ケース１０を長時間に亘って揺動させることができる。
【００５７】
ケース１０の揺動時には、芳香剤の液面Ｌが揺れ動く。芳香剤が着色されているので、液面Ｌの動きはケース１０の下側貫通孔４０，５０を通して見える。また、芳香剤が着色されていることで、残量を容易に把握でき交換時期が分かり易い。
【００５８】
また、芳香剤の液面Ｌが揺れ動くことで、芳香剤が吸液芯６０の広い範囲に付着することになり、芳香効果がより一層高まる。
【００５９】
尚、芳香剤が無くなった場合や、防虫剤の効果が無くなった場合には、ケース１０の係合爪３３〜３５を係合凹部３６〜３８から外すことで、前側分割体３０及び後側分割体３１を開いて、新しいものと交換すればよい。
【００６０】
以上説明したように、この実施形態にかかる揮発性剤拡散装置１によれば、ケース１０の底壁部１０ｆに凸状曲面２０を形成したことで、ファン等を用いることなく、ケース１０を押すだけでケース１０全体を揺動させ、この揺動によって芳香剤及び防虫剤を空気中に拡散させることができる。これにより、構造を簡単にできて低コスト化を図ることができるとともに、電池交換等のメンテナンスも不要で、しかも、蒸気圧が特別に高い揮発性剤を用いることなく、十分な拡散効果を得ることができる。
【００６１】
また、凸状曲面２０の円弧中心をケース１０の上壁部１０ｅよりも上方に位置付けて凸状曲面２０を緩やかな円弧面としているので、ケース１０全体をゆっくりと揺動させることができ、倒れてしまうのを抑制できる。
【００６２】
また、比較的重い液状の芳香剤をケース１０の下側に配置したので、揮発性剤拡散装置１の重心を下げて安定させることができ、倒れてしまうのを抑制できる。また、揮発性剤拡散装置１の安定感を損なうことなく、１つの揮発性剤拡散装置１で芳香効果及び防虫効果を得ることができる。
【００６３】
また、ケース１０の底壁部１０ｆに突条部２１を設けたので、載置面Ｇとの間に発生する摩擦抵抗を低減できる。これにより、ケース１０を小さい力で揺動させることができるとともに、揺動している時間が長くなって芳香剤及び防虫剤の拡散効果をより一層高めることができる。
【００６４】
尚、上記実施形態では、ケース１０に芳香剤及び防虫剤の２つを収容した場合について説明したが、これに限らず、いずれか一方のみを収容してもよい。
【００６５】
また、芳香剤は、液状でなく、例えば、ゲル状タイプ、ゼリー状タイプ、粒状タイプであってもよい。また、複数種の芳香剤をケース１０に収容してもよい。
【００６６】
また、上記実施形態では、底壁部１０ｆの突条部２１によって接触面積低減部を構成したが、これに限らず、例えば、底壁部１０ｆの外面に溝を形成することによって載置面Ｇとの接触面積を低減するようにしてもよく、この場合、溝が接触面積低減部を構成することになる。
【産業上の利用可能性】
【００６７】
以上説明したように、本発明にかかる揮発性剤拡散装置は、例えば、芳香剤や防虫剤を空気中に拡散させるのに適している。
【符号の説明】
【００６８】
１            揮発性剤拡散装置
１０          ケース
１０ｅ        上壁部
１０ｆ        底壁部
１１          芳香剤容器（揮発性剤容器）
１３          含浸体（揮発性剤保持体）
２０          凸状曲面
２１          突条部（接触面積低減部）
４０，５０    上側貫通孔
４１，５１    下側貫通孔
６２          拡散紙（揮発性剤保持体）
Ｒ            半径
Ｘ            仮想中心
【図１】
0005547970.tif 000002
【図２】
0005547970.tif 000003
【図３】
0005547970.tif 000004
【図４】
0005547970.tif 000005
【図５】
0005547970.tif 000006
【図６】
0005547970.tif 000007
【図７】
0005547970.tif 000008
【図８】
0005547970.tif 000009
【図９】
0005547970.tif 000010
【図１０】
0005547970.tif 000011